【手続補正書】
【提出日】平成17年12月21日(2005.12.21)
【手続補正１】
【補正対象書類名】明細書
【補正対象項目名】特許請求の範囲
【補正方法】変更
【補正の内容】
【特許請求の範囲】    【請求項１】  映像信号を監視する装置であって、該装置は、  Ｙ／色差コンポーネント信号（Ｙ，Ｐｒ，Ｐｂ）を入力する手段と、  ＲＧＢコンポーネント信号（Ｒ，Ｇ，Ｂ）のすべての成分に対応する上限値Ｓ及び下限値Ｔを設定する手段と、  ガマット・エラーを判定する手段であって、    Ｒ成分、Ｇ成分及びＢ成分のうち少なくとも１成分が上限値Ｓよりも大きいという条件を表している、Ｙ＞Ｓ＋α×Ｐｂ＋β×Ｐｒ（α及びβは、それぞれ所定の係数である）という第１条件、及び、    Ｒ成分、Ｇ成分及びＢ成分のうち少なくとも１成分が下限値Ｔよりも小さいという条件を表している、Ｙ＜Ｔ＋γ×Ｐｂ＋δ×Ｐｒ（γ及びδは、それぞれ所定の係数である）という第２条件、のうち、    少なくとも１つの条件を満たすか否かを判定する手段と、  第１条件又は第２条件を満たす場合、ガマット・エラー状態を視覚化可能とする手段と、  を備える装置。    【請求項２】  映像信号を監視する装置であって、該装置は、  Ｒ成分、Ｇ成分、Ｂ成分のそれぞれのガマット・エラーを検出する手段を備え、  Ｒ成分のガマット・エラーを検出する手段は、    Ｙ／色差コンポーネント信号のＰｒ成分（第１色差成分）とＲＧＢコンポーネント信号の上限値Ｓ及び下限値Ｔとから、Ｙ＞Ｓ−ａ×Ｐｒ（ａは、所定の係数である）という第１条件とＹ＜Ｔ−ａ×Ｐｒという第２条件を生成する手段と、    第１条件又は第２条件を満たす場合、Ｒ成分に関してガマット・エラー状態を視覚化可能とする手段と、  を備え、  Ｇ成分のガマット・エラーを検出する手段は、    Ｙ／色差コンポーネント信号のＰｒ成分及びＰｂ成分（第２色差成分）とＲＧＢコンポーネント信号の上限値Ｓ及び下限値Ｔとから、Ｙ＞Ｓ＋ｂ×Ｐｂ＋ｃ×Ｐｒ（ｂ及びｃは、それぞれ所定の係数である）という第３条件とＹ＜Ｔ＋ｂ×Ｐｂ＋ｃ×Ｐｒという第４条件を生成する手段と、    第３条件又は第４条件を満たす場合、Ｇ成分に関してガマット・エラー状態を視覚化可能とする手段と、  を備え、  Ｂ成分のガマット・エラーを検出する手段は、    Ｙ／色差コンポーネント信号のＰｂ成分とＲＧＢコンポーネント信号の上限値Ｓ及び下限値Ｔとから、Ｙ＞Ｓ−ｄ×Ｐｒ（ｄは、所定の係数である）という第５条件とＹ＜Ｔ−ｄ×Ｐｒという第６条件を生成する手段と、    第５条件又は第６条件を満たす場合、Ｂ成分に関してガマット・エラー状態を視覚化可能とする手段と、  を備える、装置。【手続補正２】
【補正対象書類名】明細書
【補正対象項目名】００１１
【補正方法】変更
【補正の内容】
【００１１】  具体的に、本発明の映像信号監視装置は、Ｒ成分、Ｇ成分、Ｂ成分のそれぞれのガマット・エラーを検出する手段を備え、Ｒ成分のガマット・エラーを検出する手段は、Ｙ／色差コンポーネント信号のＰｒ成分（第１色差成分）とＲＧＢコンポーネント信号の上限値Ｓ及び下限値Ｔとから、Ｙ＞Ｓ−ａ×Ｐｒ（ａは、所定の係数である）という第１条件とＹ＜Ｔ−ａ×Ｐｒという第２条件を生成する手段と、第１条件又は第２条件を満たす場合、Ｒ成分に関してガマット・エラー状態を視覚化可能とする手段と、を備え、Ｇ成分のガマット・エラーを検出する手段は、Ｙ／色差コンポーネント信号のＰｒ成分及びＰｂ成分（第２色差成分）とＲＧＢコンポーネント信号の上限値Ｓ及び下限値Ｔとから、Ｙ＞Ｓ＋ｂ×Ｐｂ＋ｃ×Ｐｒ（ｂ及びｃは、それぞれ所定の係数である）という第３条件とＹ＜Ｔ＋ｂ×Ｐｂ＋ｃ×Ｐｒという第４条件を生成する手段と、第３条件又は第４条件を満たす場合、Ｇ成分に関してガマット・エラー状態を視覚化可能とする手段と、を備え、Ｂ成分のガマット・エラーを検出する手段は、Ｙ／色差コンポーネント信号のＰｂ成分とＲＧＢコンポーネント信号の上限値Ｓ及び下限値Ｔとから、Ｙ＞Ｓ−ｄ×Ｐｒ（ｄは、所定の係数である）という第５条件とＹ＜Ｔ−ｄ×Ｐｒという第６条件を生成する手段と、第５条件又は第６条件を満たす場合、Ｂ成分に関してガマット・エラー状態を視覚化可能とする手段と、を備える。
【手続補正３】
【補正対象書類名】明細書
【補正対象項目名】００１９
【補正方法】変更
【補正の内容】
【００１９】  本発明の映像信号監視装置は、ＲＧＢコンポーネント信号のＲ成分のガマット・エラーを検出するために、上述の式５．１及び式５．２のそれぞれの条件を満たすか否かを判定する。図２ａに示すように、Ｒ成分のガマット・エラーを検出する手段７０は、Ｙ／色差コンポーネント信号のＰｒ成分（第１色差成分）を入力し、Ｐｒ成分に式２中の第１係数ａを乗算して、ａ×Ｐｒ成分を出力する乗算器７１と、ａ×Ｐｒ成分とＲＧＢコンポーネント信号の上限値Ｓとを入力し、Ｓからａ×Ｐｒ成分を減算して、（Ｓ−ａ×Ｐｒ）成分を出力する減算器７２と、Ｙ／色差コンポーネント信号のＹ成分と（Ｓ−ａ×Ｐｒ）成分とを入力し、Ｙ成分が（Ｓ−ａ×Ｐｒ）成分よりも大きいか否かを比較し、上述の式５．１の条件を満たすか否かを表す第１比較結果を出力する比較器７３と、ａ×Ｐｒ成分とＲＧＢコンポーネント信号の下限値Ｔとを入力し、Ｔからａ×Ｐｒ成分を減算して、（Ｔ−ａ×Ｐｒ）成分を出力する減算器７４と、Ｙ／色差コンポーネント信号のＹ成分と（Ｔ−ａ×Ｐｒ）成分とを入力し、Ｙ成分が（Ｔ−ａ×Ｐｒ）成分よりも小さいか否かを比較し、上述の式５．２の条件を満たすか否かを表す第２比較結果を出力する比較器７５と、第１比較結果及び第２比較結果を入力し、上述の式５．１又は式５．２の条件を満たす場合、Ｒ成分に関して上限値Ｓ又は下限値Ｔに対応するガマット・エラーを視覚可能とし、式５．１及び式５．２の条件を満たさない場合、Ｒ成分に関して正常状態を視覚可能とする出力器７６と、を備える。
【手続補正４】
【補正対象書類名】明細書
【補正対象項目名】００２０
【補正方法】変更
【補正の内容】
【００２０】  本発明の映像信号監視装置は更に、ＲＧＢコンポーネント信号のＧ成分のガマット・エラーを検出するために、上述の式５．３及び式５．４のそれぞれの条件を満たすか否かを判定する。図２ｂに示すように、Ｇ成分のガマット・エラーを検出する手段８０は、Ｙ／色差コンポーネント信号のＰｂ成分（第２色差成分）を入力し、Ｐｂ成分に式２中の第２係数ｂを乗算して、ｂ×Ｐｂ成分を出力する乗算器８１と、Ｙ／色差コンポーネント信号のＰｒ成分（第１色差成分）を入力し、Ｐｒ成分に式２中の第３係数ｃを乗算して、ｃ×Ｐｒ成分を出力する乗算器８２と、ｂ×Ｐｂ成分とｃ×Ｐｒ成分とＲＧＢコンポーネント信号の上限値Ｓとを入力し、Ｓにｂ×Ｐｂ成分とｃ×Ｐｒ成分とを加算して、（Ｓ＋ｂ×Ｐｂ＋ｃ×Ｐｒ）成分を出力する加算器８３と、Ｙ／色差コンポーネント信号のＹ成分と（Ｓ＋ｂ×Ｐｂ＋ｃ×Ｐｒ）成分とを入力し、Ｙ成分が（Ｓ＋ｂ×Ｐｂ＋ｃ×Ｐｒ）成分よりも大きいか否かを比較し、上述の式５．３の条件を満たすか否かを表す第３比較結果を出力する比較器８４と、ｂ×Ｐｂ成分とｃ×Ｐｒ成分とＲＧＢコンポーネント信号の下限値Ｔとを入力し、Ｔにｂ×Ｐｂ成分とｃ×Ｐｒ成分とを加算して、（Ｔ＋ｂ×Ｐｂ＋ｃ×Ｐｒ）成分を出力する加算器８５と、Ｙ／色差コンポーネント信号のＹ成分と（Ｔ＋ｂ×Ｐｂ＋ｃ×Ｐｒ）成分とを入力し、Ｙ成分が（Ｔ＋ｂ×Ｐｂ＋ｃ×Ｐｒ）成分よりも小さいか否かを比較し、上述の式５．４の条件を満たすか否かを表す第４比較結果を出力する比較器８６と、第３比較結果及び第４比較結果を入力し、上述の式５．３又は式５．４の条件を満たす場合、Ｇ成分に関して上限値Ｓ又は下限値Ｔに対応するガマット・エラーを視覚可能とし、式５．３及び式５．４の条件を満たさない場合、Ｇ成分に関して正常状態を視覚可能とする出力器８７と、を備える。
【手続補正５】
【補正対象書類名】明細書
【補正対象項目名】００２１
【補正方法】変更
【補正の内容】
【００２１】  本発明の映像信号監視装置は更に、ＲＧＢコンポーネント信号のＢ成分のガマット・エラーを検出するために、上述の式５．５及び式５．６のそれぞれの条件を満たすか否かを判定する。図２ｃに示すように、Ｂ成分のガマット・エラーを検出する手段９０は、Ｙ／色差コンポーネント信号のＰｂ成分（第２色差成分）を入力し、Ｐｂ成分に式２中の第４係数ｄを乗算して、ｄ×Ｐｂ成分を出力する乗算器９１と、ｄ×Ｐｂ成分とＲＧＢコンポーネント信号の上限値Ｓとを入力し、Ｓからｄ×Ｐｂ成分を減算して、（Ｓ−ｄ×Ｐｂ）成分を出力する減算器９２と、Ｙ／色差コンポーネント信号のＹ成分と（Ｓ−ｄ×Ｐｂ）成分とを入力し、Ｙ成分が（Ｓ−ｄ×Ｐｂ）成分よりも大きいか否かを比較し、上述の式５．５の条件を満たすか否かを表す第５比較結果を出力する比較器９３と、ｄ×Ｐｂ成分とＲＧＢコンポーネント信号の下限値Ｔとを入力し、Ｔからｄ×Ｐｂ成分を減算して、（Ｔ−ｄ×Ｐｂ）成分を出力する減算器９４と、Ｙ／色差コンポーネント信号のＹ成分と（Ｔ−ｄ×Ｐｂ）成分とを入力し、Ｙ成分が（Ｔ−ｄ×Ｐｂ）成分よりも小さいか否かを比較し、上述の式５．６の条件を満たすか否かを表す第６比較結果を出力する比較器９５と、第５比較結果及び第６比較結果を入力し、上述の式５．５又は式５．６の条件を満たす場合、Ｂ成分に関して上限値Ｓ又は下限値Ｔに対応するガマット・エラーを視覚可能とし、式５．５及び式５．６の条件を満たさない場合、Ｒ成分に関して正常状態を視覚可能とする出力器９６と、を備える。
【手続補正６】
【補正対象書類名】明細書
【補正対象項目名】００２５
【補正方法】変更
【補正の内容】
【００２５】  図３は、図２ａ〜図２ｃに示す出力器７６、８７及び９６の変形例を示す。図３に示すように、出力器１００は、比較器７３、８４及び９３から第１比較結果、第３比較結果及び第５比較結果を入力し、上述の式５．１、式５．３又は式５．５の条件を満たす場合、ＲＧＢコンポーネント信号に関して上限値Ｓに対応するガマット・エラーを視覚可能とし、比較器７５、８６及び９５から第２比較結果、第４比較結果及び第６比較結果を入力し、式５．２、式５．４又は式５．６の条件を満たす場合、ＲＧＢコンポーネント信号に関して下限値Ｔに対応するガマット・エラーを視覚可能とし、式５．１、式５．２、式５．３、式５．４、式５．５及び式５．６の条件を満たさない場合、ＲＧＢコンポーネント信号に関して正常状態を視覚可能とする。なお、出力器１００は、正常状態を視覚可能としなくてもよい。
【手続補正７】
【補正対象書類名】図面
【補正対象項目名】図２ａ
【補正方法】変更
【補正の内容】
【図２ａ】
2004260284.tif 000001